(57)【要約】【課題】アームを有した光コネクタの軸方向で遊びを確保した光コネクタハウジング、それを備えた光コネクタ連結装置、電子ユニット、電子装置を提供することを課題とする。【解決手段】ハウジング２０は、弾性力により所定の姿勢に復帰可能なラッチアーム１４を有した光コネクタ１を収納可能であり、収納された光コネクタ１の先端部を露出する露出口２２ａを有した収納部２２と、露出口２２ａから光コネクタ１の先端部が突出した位置で光コネクタ１の軸方向前方側への移動を規制する段部２１ａ、正面壁部２４と、収納された光コネクタ１の軸方向方向への移動を許容しつつラッチアーム１４を光コネクタ１の軸方向前方側へと押すバネ３１、押圧片３２と、備えている。【選択図】図３
2010243916.tif 000002
【特許請求の範囲】
【請求項１】
弾性力により所定の姿勢に復帰可能なアームを有した光コネクタを収納可能であり、収納された前記光コネクタの先端部を露出する露出口を有した収納部と、
前記露出口から前記光コネクタの先端部が突出した位置で前記光コネクタの軸方向前方側への移動を規制するストッパと、
収納された前記光コネクタの軸方向後方側への移動を許容しつつ前記アームを前記軸方向前方側へと押す押圧部材と、
を備えた光コネクタハウジング。
【請求項２】
前記押圧部材は、前記アームと当接する押圧片、前記押圧片を前記アームに向けて付勢する付勢部材、を含む、請求項１の光コネクタハウジング。
【請求項３】
外部からの押圧によって前記アームと前記押圧部材との当接が解除されるように前記アームを押す操作部を備えた、請求項１の光コネクタハウジング。
【請求項４】
前記収納部に対する前記光コネクタの挿抜を許容する位置と、前記収納部に収納された前記光コネクタの前記アームを押す位置と、の間を移動可能に前記押圧部材を支持する壁部を備えている、請求項１の光コネクタハウジング。
【請求項５】
前記押圧部材及び前記壁部の一方は、溝を有し、
前記押圧部材及び前記壁部の他方は、前記溝内を移動可能に係合した突起を有し、
前記溝は、前記収納部に対する前記光コネクタの挿抜を許容する第１領域、前記収納部に収納された前記光コネクタの前記アームを押す第２領域、、を有している、請求項４の光コネクタハウジング。
【請求項６】
所定方向に突出し、突出した方向での遊びを確保しつつプリント基板の孔に嵌合可能な脚部を備えている、請求項１乃至５の何れかの光コネクタハウジング。
【請求項７】
請求項１乃至６の何れかの光コネクタハウジングと、
前記光コネクタハウジングと嵌合する嵌合部、前記光コネクタと接続される相手側の光コネクタを収納する収納部、を有した光コネクタアダプタと、を備えた、光コネクタ連結装置。
【請求項８】
前記光コネクタハウジングと前記嵌合部とが嵌合した状態において、前記光コネクタは前記押圧部材の押出に拮抗して前記光コネクタの軸方向後方側へと前記光コネクタアダプタにより押される、請求項７の光コネクタ連結装置。
【請求項９】
前記嵌合部は、前記光コネクタハウジングとの嵌合を容易にするための傾斜面を有している、請求項７又は８の光コネクタ連結装置。
【請求項１０】
請求項１乃至６の何れかの光コネクタハウジングと、
前記光コネクタハウジングを実装したプリント基板と、を備えた電子ユニット。
【請求項１１】
請求項７乃至９の何れかの光コネクタ連結装置と、
前記光コネクタハウジングを実装した第１プリント基板と、
前記光コネクタアダプタを実装した第２プリント基板と、
を備えた電子装置。
【発明の詳細な説明】
【技術分野】
【０００１】
本発明は、光コネクタハウジング、光コネクタ連結装置、電子ユニット及び電子装置に関する。
【背景技術】
【０００２】
光コネクタ同士を接続するためアダプタが知られている。また、光コネクタには、アームを備えたものが知られている。
【先行技術文献】
【特許文献】
【０００３】
【特許文献１】特開２００１−１４１９６１号公報
【特許文献２】特開平１０−３０７２３４号公報
【発明の概要】
【発明が解決しようとする課題】
【０００４】
このようなアダプタは、光コネクタに対する軸方向での遊びが設定されていない。このため、アダプタと光コネクタの製造精度によっては、光コネクタ間の距離が近くなりすぎて、互いに突き当てられるフェルール同士への負荷が強くなりすぎる恐れがある。または、光コネクタ間の距離が広くなりすぎ、フェルール同士の接続損失が増大する恐れもある。
【０００５】
そこで本発明は上記の課題に鑑みてなされたものであり、アームを有した光コネクタの軸方向で遊びを確保した光コネクタハウジング、それを備えた光コネクタ連結装置、電子ユニット、電子装置を提供することを目的とする。
【課題を解決するための手段】
【０００６】
本明細書に開示の光コネクタハウジングは、弾性力により所定の姿勢に復帰可能なアームを有した光コネクタを収納可能であり、収納された前記光コネクタの先端部を露出する露出口を有した収納部と、前記露出口から前記光コネクタの先端部が突出した位置で前記光コネクタの軸方向前方側への移動を規制するストッパと、収納された前記光コネクタの軸方向後方側への移動を許容しつつ前記アームを前記軸方向前方側へと押す押圧部材と、を備えている。
【０００７】
本明細書に開示の光コネクタ連結装置は、上記の光コネクタハウジングと、前記光コネクタハウジングと嵌合する嵌合部、前記光コネクタと接続される相手側の光コネクタを収納する収納部、を有した光コネクタアダプタと、を備えている。
【０００８】
本明細書に開示の電子ユニットは、上記の光コネクタハウジングと、前記光コネクタハウジングを実装したプリント基板と、を備えている。
【０００９】
本明細書に開示の電子装置は、上記の光コネクタ連結装置と、前記光コネクタハウジングを実装した第１プリント基板と、前記光コネクタアダプタを実装した第２プリント基板と、を備えている。
【発明の効果】
【００１０】
アームを有した光コネクタの軸方向で遊びを確保した光コネクタハウジング、それを備えた光コネクタ連結装置、電子ユニット、電子装置を提供できる。
【図面の簡単な説明】
【００１１】
【図１】図１Ａ、１Ｂは、光コネクタの説明図。
【図２】図２Ａ、２Ｂは、ハウジングの説明図。
【図３】図３Ａ〜３Ｃは、ハウジングへの光コネクタの挿入、及びハウジングとアダプタとの嵌合について説明図。
【図４】図４Ａは、ハウジングからの光コネクタの抜去の説明図。図４Ｂは、脚部の拡大図。
【図５】図５Ａ、５Ｂは、電子装置の説明図。
【図６】図６Ａ〜６Ｃは、実施例２のハウジングの説明図。
【図７】図７Ａ〜７Ｃは、実施例２のハウジングに光コネクタを挿入する説明図。
【発明を実施するための形態】
【００１２】
以下、実施形態について図面を参照して説明する。
【実施例１】
【００１３】
図１Ａ、１Ｂは、光コネクタ１の説明図であり、図１Ａは、光コネクタ１の上面、図１Ｂは、光コネクタ１の側面を示している。フェルール１１は、光ファイバを保持している。筒部１２は、フェルール１１を保持している。筒部１２の基端部側には保持部１３が設けられている。筒部１２の側面にはラッチアーム１４が設けられている。保持部１３内には、光ファイバケーブル１９が差し込まれている。
【００１４】
図１Ｂに示すように、ラッチアーム１４は、筒部１２に対し傾斜した姿勢を維持している。ラッチアーム１４は、弾性力により傾斜姿勢に復帰可能である。例えば、ラッチアーム１４を筒部１２側に押し付けた後に指をラッチアーム１４から離すと、ラッチアーム１４は自身の弾性復元力により再び傾斜姿勢に復帰する。ラッチアーム１４は、光コネクタ１の軸方向後方側に延びている。ラッチアーム１４には、係合突起１５が設けられている。係合突起１５は、通常、光コネクタ１が挿入されるアダプタに設けられた係合孔と係合する。これにより、アダプタに対する光コネクタ１の位置が規定される。
【００１５】
次に、ハウジング２０について説明する。図２Ａ、２Ｂは、ハウジング２０の説明図である。尚、図２Ａには、後述するアダプタ６０についても示している。図２Ａでは、脚部２９については省略してある。図２Ａ、２Ｂに示すように、ハウジング２０は、光コネクタ１を収納する収納部２２を有している。収納部２２は、収納部２２に収納された光コネクタ１の先端部を露出する露出口２２ａ、光コネクタ１の挿抜を許容する挿抜口２２ｂ、を有している。詳細には収納部２２は、筒部１２、保持部１３を収納する。露出口２２ａは、正面壁部２４に形成されている。
【００１６】
ハウジング２０は、ラッチアーム１４を収納するアーム収納部２６を有している。ハウジング２０は、収納部２２とアーム収納部２６とを仕切る仕切壁２８を有している。上壁部２３には操作部２５を画定する切欠２５ｃが略コ字状に形成されている。操作部２５には先端部に凸部２５ａを有している。ハウジング２０の底面には、ハウジング２０をプリント基板に固定するための脚部２９が２つ設けられている。脚部２９は、互いに接触するように弾性変形可能な複数の突片を有している。突片の先端には、鍔部が形成されている。脚部２９については詳しくは後述する。
【００１７】
図２Ｂに示すように、ハウジング２０は、筒部１２、保持部１３を支持する低壁部２１を有している。低壁部２１の内面には、段部２１ａが設けられている。詳しくは後述するが、段部２１ａ及び正面壁部２４は、光コネクタ１の軸方向前方側への移動を規制するストッパとして機能する。仕切壁２８には、ラッチアーム１４の移動を許容する逃げ溝が形成されている。この逃げ溝は、収納部２２に挿入された光コネクタ１の軸方向に沿って延びている。また、ハウジング２０内には、ラッチアーム１４の先端と当接する押圧片３２と、押圧片３２をラッチアーム１４に向けて付勢するバネ３１と、を収納するバネ収納部２７が設けられている。押圧片３２は、例えば金属製の薄い板状である。
【００１８】
次に、ハウジング２０への光コネクタ１の挿入、及びハウジング２０とアダプタ６０との嵌合について説明する。図３Ａに示すように、まず、プリント基板５０に形成された孔に脚部２９を挿入して、プリント基板５０にハウジング２０を組み付ける。尚、プリント基板５０に形成された孔は、プリント基板５０にハウジング２０を組み付けた状態でハウジング２０の先端がプリント基板５０からはみ出すような位置に形成されている。
【００１９】
次に、挿抜口２２ｂに光コネクタ１を挿入する。この際、ラッチアーム１４は、バネ収納部２７を画定する壁面に接触して筒部１２側に押し付けられる。図３Ａに示した状態から更に光コネクタ１が軸方向前方側に押されると、ラッチアーム１４は仕切壁２８に設けられた逃げ溝に沿って移動する。ラッチアーム１４がバネ収納部２７を通過するまで光コネクタ１が挿入されると、図３Ｂに示したように、筒部１２、保持部１３は収納部２２に収納される。ラッチアーム１４はアーム収納部２６に収納される。
【００２０】
収納状態においては、保持部１３と段部２１ａとが当接し、ラッチアーム１４の根元側と正面壁部２４の内面とが当接し、光コネクタ１の先端部は露出口２２ａから露出する。また、ラッチアーム１４の先端と押圧片３２とは当接し、ラッチアーム１４は押圧片３２を介してバネ３１により軸方向前方側に付勢される。即ち、バネ３１、押圧片３２により、光コネクタ１は軸方向前方側に付勢される。これにより、保持部１３と段部２１ａとの当接と、ラッチアーム１４と正面壁部２４との当接とが維持される。
【００２１】
収納状態において、筒部１２の先端部は、露出口２２ａから所定の長さａだけ突出している。長さａは、例えば４００μｍである。また、脚部２９の突出方向での、脚部２９とのプリント基板５０との遊びの長さｄが設定されている。これにより、ハウジング２０は、脚部２９の軸方向に長さｄだけの遊びがある状態でプリント基板５０に対して固定されている。長さｄは、例えば５００μｍである。
【００２２】
次に、収納状態にあるハウジング２０をアダプタ６０へと嵌合させる。アダプタ６０は、プリント基板７０に固定されている。アダプタ６０は、光コネクタ１の相手側のコネクタを収納可能な収納部６２を有している。アダプタ６０は、正面壁部６４、正面壁部６４の正面側に設けられた枠状の嵌合部６５、を有している。嵌合部６５は、ハウジング２０と嵌合可能な大きさに設定されている。また、嵌合部６５は、内側の面が軸方向に対して傾斜した傾斜面６５ａを有している。傾斜面６５ａは、ハウジング２０の外面と接触する。
【００２３】
正面壁部６４には、光コネクタ１のフェルール１１と相手側の光コネクタのフェルールとの接続を確保するためのスリーブ６７が設けられている。スリーブ６７は円筒状である。スリーブ６７内でフェルール同士が接続される。また、正面壁部６４の背面側には、プリント基板７０にアダプタ６０を固定するための脚部６９が設けられている。脚部２９、６９は、略同一の構造、機能を有している。
【００２４】
アダプタ６０の軸方向と垂直な方向での、傾斜面６５ａの長さｃは、前述した長さｄに対応して設定されている。例えば、長さｄが５００μｍ以下の場合、長さｃは、５００μｍである。これにより、プリント基板５０に対するハウジング２０の位置のばらつきがある場合であっても、ハウジング２０とアダプタ６０とを嵌合させることができる。
【００２５】
プリント基板７０に向けてプリント基板５０を挿入するようにして嵌合部６５内にハウジング２０を嵌合させる。露出口２２ａから光コネクタ１の先端部は長さａだけ突出しているので、図３Ｃに示すように、嵌合の際には光コネクタ１の先端部が正面壁部６４の正面に接触して軸方向後方へ押されて、正面壁部２４と正面壁部６４とが当接する。即ち、光コネクタ１を軸方向前方側に付勢するバネ３１の付勢力に拮抗して、ハウジング２０とアダプタ６０とが嵌合される。嵌合状態において、バネ３１は光コネクタ１を軸方向前方側に付勢している。従って光コネクタ１は、常にアダプタ６０側に付勢されることになる。
【００２６】
このように、ハウジング２０は、光コネクタ１の軸方向後方側への移動を許容しつつ光コネクタ１を保持している。詳細には、バネ３１は、光コネクタ１の軸方向後方側への移動を許容しつつラッチアーム１４を軸方向前方側に押している。これにより、光コネクタ１や、ハウジング２０、アダプタ６０の製造精度に起因する寸法誤差があっても、光コネクタ１と相手側の光コネクタとの接続を確保することができる。光コネクタ１と相手側の光コネクタとの接続を確保することにより、接続損失を抑制することができる。また、光コネクタ１はハウジング２０に対して軸方向後方側の移動が許容されるので、接続されるフェルール同士に係る負荷が大きくなりすぎることを防止できる。
【００２７】
また、接続される光コネクタ同士の軸方向の遊びが大きすぎると、軸方向で光コネクタの間にがたつきが生じ、フェルール同士の接続損失が増大する恐れもある。しかしながら、上述したように、光コネクタ１は、ラッチアーム１４の弾性復元力によって軸方向前方へ移動しようとする。このため、軸方向での光コネクタ同士の遊びを吸収して、接続損失を抑制することができる。
【００２８】
次に、ハウジング２０からの光コネクタ１の抜去について説明する。図４Ａは、ハウジング２０からの光コネクタ１の抜去の説明図である。
図４Ａに示すように、作業者は凸部２５ａを押すことにより、操作部２５は撓み、凸部２５ａはラッチアーム１４を筒部１２側に押す。これにより、ラッチアーム１４の先端部が押圧片３２から離れる。この状態で、光コネクタ１を引きぬくと、ラッチアーム１４とバネ収納部２７とが干渉せずに、収納部２２から光コネクタ１を抜くことができる。
【００２９】
次に、脚部２９について説明する。
図４Ｂは、脚部２９の拡大図である。脚部２９は、一対の突出片２９１を有している。一対の突出片２９１は、互いに接近するように弾性変形可能である。突出片２９１は、低壁部２１から延びた胴体部２９２と、胴体部２９２の先端に形成された鍔部２９３と、を有している。胴体部２９２の長さは、プリント基板５０の厚さよりも長く設定されており、胴体部２９２の突出方向における、脚部２９とプリント基板５０との遊び長さｄが設定されている。
【００３０】
プリント基板５０に形成された孔５９に脚部２９を挿入する際には、一対の突出片２９１が互いに圧縮されるようにして孔５９内を通過する。鍔部２９３が孔５９を脱すると、孔５９と脚部２９とが嵌合が完了する。このようにして、ハウジング２０とプリント基板５０との組み付けが行われる。
【００３１】
次に、このようなハウジング２０、アダプタ６０をそれぞれ実装したプリント基板５０、７０を採用した電子装置について説明する。図５Ａ、５Ｂは、電子装置の説明図である。図５Ａは、電子装置が搭載されるラックマウント装置の概略を示している。図５Ａに示すように、ラックマウント装置３は、筐体４、筐体４に収納された複数の電子ユニット５、を有している。ラックマウント装置３は、例えばサーバ装置である。電子ユニット５は、筐体４に対して挿抜可能である。複数のハウジング２０を実装したプリント基板５０は、電子ユニット５に採用されている。
【００３２】
図５Ｂは、光コネクタの接続方法を示している。ラックマウント装置３の内部には、プリント基板７０が設けられている。プリント基板７０には、アダプタ６０が実装されている。プリント基板７０は、バックプレーンに相当する。尚、アダプタ６０の一端側は、電子ユニット５が挿入される側であり、アダプタ６０の他端側は、ラックマウント装置３の背面側である。プリント基板５０には、複数のハウジング２０が実装されている。ハウジング２０は、光コネクタ１を保持しており、光コネクタ１は、プリント基板５０に実装された光モジュール８０に接続している。
【００３３】
また、ラックマウント装置３内には、ガイドレール９２を備えた支持板９０が設けられている。ガイドレール９２により、プリント基板５０の挿入が案内され、これにより、ハウジング２０とアダプタ６０とが嵌合する。これにより、相手側の光コネクタがアダプタ６０に挿入されると、光コネクタ１と相手光コネクタとが接続される。尚、ハウジング２０とアダプタ６０との嵌合後での、プリント基板５０と支持板９０との固定及び固定の解除は、筐体４側に設けられた不図示のイジェクタにより行われる。イジェクタは公知のものである。電子ユニット５をラックマウント装置３から抜く場合には、上記のイジェクタによる固定を解除し、電子ユニット５をラックマウント装置３から引き抜くことにより、ハウジング２０はアダプタ６０から抜ける。
【実施例２】
【００３４】
次に、実施例２のハウジング２０ａについて説明する。図６Ａ〜６Ｃは、実施例２のハウジング２０ａの説明図である。尚、図６Ａ〜図６Ｃにおいては、脚部２９については図示を省略してある。ハウジング２０ａも実施例１のハウジング２０と同様、アダプタ６０に嵌合可能である。
【００３５】
図６Ａに示すように、ハウジング２０ａには押圧部材３０が組み付けられている。図６Ｂは、ハウジング２０ａから取外した押圧部材３０を示している。図６Ｃは、押圧部材３０が取外されたハウジング２０ａを示している。押圧部材３０は、板状のベース３３、ベース３３の両側面にそれぞれ設けられた突起３５、を有している。押圧部材３０は、例えば合成樹脂姓である。
【００３６】
図６Ｃに示すように、ハウジング２０ａの上壁部２３ａには、切欠２５ｄが形成されている。切欠２５ｄに押圧部材３０が配置される。側壁部２１ｂ、２１ｃの内面には、溝２７ａが設けられている。突起３５は、溝２７ａに回転可能に係合している。このようにして、押圧部材３０は、側壁部２１ｂ、２１ｃに支持されている。
【００３７】
図７Ａ〜７Ｃは、実施例２のハウジング２０ａに光コネクタ１ａを挿入する説明図である。また、図７Ａ〜７Ｃのそれぞれの右側には、溝２７ａと突起３５との係合状態を示している。
【００３８】
光コネクタ１ａは、上述した光コネクタ１とは異なり、保持部１３に操作アーム１７が設けられている。操作アーム１７は保持部１３に設けられている。操作アーム１７の先端部はラッチアーム１４の先端部と重なっている。操作アーム１７は、光コネクタ１の軸方向前方側に延びている。操作アーム１７は、ラッチアーム１４と同様に、保持部１３に対し傾斜した姿勢を維持している。操作アーム１７は、弾性力により傾斜姿勢に復帰可能である。操作アーム１７が保持部１３側に押されると、操作アーム１７と共にラッチアーム１４も保持部１３、筒部１２に沿うように変形する。
【００３９】
溝２７ａは、略Ｕ字状に形成されている。溝２７ａは、領域２７ａ１、２７ａ２、２７ａ３を有している。領域２７ａ１、２７ａ３は、互いに平行であり、光コネクタ１ａの軸方向に直交する方向に延びている。領域２７ａ２は、領域２７ａ１と領域２７ａ３とに連続し、光コネクタ１ａの軸方向に平行である。また、領域２７ａ１の端部は、領域２７ａ３の端部よりも高い位置にある。換言すれば、領域２７ａ３の端部よりも、領域２７ａ１の端部の方が低壁部２１から離れている。
【００４０】
図７Ａに示すように、突起３５が領域２７ａ２内に位置している場合には、収納部２２に光コネクタ１ａを挿入しようとしても、ラッチアーム１４、操作アーム１７と押圧部材３０とが干渉して挿入しにくい。突起３５を領域２７ａ１内へ移動させるようにして押圧部材３０を上方に移動させると、図７Ｂに示すように、ラッチアーム１４、操作アーム１７と押圧部材３０とが干渉せずに、光コネクタ１ａを収納部２２内に挿入することができる。ラッチアーム１４と正面壁部２４とが当接し保持部１３と段部２１ａとが当接するまで光コネクタ１を挿入し、突起３５を領域２７ａ３内に移動させる。突起３５を領域２７ａ３に移動させる際に、操作アーム１７の弾性力に抗するようにして操作アーム１７を押しながら突起３５を領域２７ａ３内に移動させる。
【００４１】
突起３５が領域２７ａ３内に移動させると、操作アーム１７の弾性復元力により、押圧部材３０は上方に押上げられ、突起３５は、領域２７ａ３の端部に当接する。また、突起３５は溝２７ａに回転可能に係合しているため、押圧部材３０は操作アーム１７に沿うような姿勢が維持される。また、操作アーム１７及びラッチアーム１４の弾性復元力により、光コネクタ１ａは軸方向前方へ付勢される。これにより、保持部１３と段部２１ａとが当接し、ラッチアーム１４と正面壁部２４とが当接する状態が維持される。図７Ｃの状態では、実施例１のハウジング２０と同様、光コネクタ１ａの先端部が露出口２２ａから突出している。また、光コネクタ１ａが軸方向後方側に押された場合には、操作アーム１７が弾性変形して軸方向後方側への移動が許容される。従って、ハウジング２０ａは、実施例１のハウジング２０と同様に、光コネクタ１ａの軸方向での遊びを確保しつつ光コネクタ１ａを保持できる。
【００４２】
ハウジング２０ａからの光コネクタ１ａの抜去について説明する。作業者は、図７Ｃに示した状態において、操作アーム１７及びラッチアーム１４の付勢力に拮抗して、突起３５を領域２７ａ１へと移動させる。これにより、挿抜口２２ｂ１が大きく開き、光コネクタ１ａをハウジング２０ａから抜去することができる。以上のように、領域２７ａ１は、収納部２２に対する光コネクタ１ａの挿抜を許容する領域に相当する。領域２７ａ３は、収納部２２に収納された光コネクタ１ａの操作アーム１７を押す領域に相当する。このように、側壁部２１ｂ、２１ｃは、光コネクタ１ａの挿抜を許容する位置と操作アーム１７を押す位置との間を移動可能に押圧部材３０を支持している。尚、押圧部材側に溝を設け、側壁側に、溝と係合する突起を設けてもよい。
【００４３】
以上本発明の好ましい一実施形態について詳述したが、本発明は係る特定の実施形態に限定されるものではなく、特許請求の範囲に記載された本発明の要旨の範囲内において、種々の変形・変更が可能である。
【００４４】
尚、上記実施例では、１芯型のＬＣ型の光コネクタを例に示したが、本発明は、２芯型のＬＣ型の光コネクタを保持する光コネクタハウジングにも適用できる。
【符号の説明】
【００４５】
１、１ａ  光コネクタ
３  ラックマウント装置
５  電子ユニット
１４  ラッチアーム
１７  操作アーム
２０  ハウジング
２２  収納部
２２ａ  露出口
２５  操作部
溝  ２７ａ
３０  押圧部材
３１  バネ
３２  押圧片
３３  ベース
３５  突起
５０、７０  プリント基板
６０  アダプタ
６５  嵌合部
６５ａ  傾斜面
６７  スリーブ
【図１】
2010243916.tif 000003
【図２】
2010243916.tif 000004
【図３】
2010243916.tif 000005
【図４】
2010243916.tif 000006
【図５】
2010243916.tif 000007
【図６】
2010243916.tif 000008
【図７】
2010243916.tif 000009